(57)【特許請求の範囲】
【請求項１】
取引対象の情報を登録するためのコンテンツが取引対象の提供者に提供され、所定の店舗で提供される取引対象の情報が当該コンテンツに登録された場合、当該コンテンツに登録された取引対象の情報を取得し、取得した取引対象の情報と、当該取引対象に対応するコードとを紐付けて記憶部に格納する取得部と、
前記記憶部を参照することにより、前記提供者に対し前記取引対象の情報に紐付けられたコードを示す情報を提供し、前記所定の店舗を利用する利用者に対し、当該利用者が利用する端末装置により読み取られたコードに対応する前記取引対象の情報を、前記取引対象を購入するための情報として提供する提供部と、
前記利用者が利用する端末装置を用いる決済手段により前記取引対象の決済処理が実行された場合は、前記取引対象に対応する情報を前記所定の店舗に設置された出力装置に送信し、当該情報を出力させる出力制御部と
を有することを特徴とする提供装置。
【請求項２】
前記提供部は、
前記利用者が利用する端末装置を用いる決済手段により前記取引対象を購入するための情報を提供する
ことを特徴とする請求項１に記載の提供装置。
【請求項３】
前記提供部は、
前記取引対象の価格、前記取引対象を示す画像、前記取引対象に関するテキストの少なくともいずれか１つを含む情報を提供する
ことを特徴とする請求項１または２に記載の提供装置。
【請求項４】
前記提供部は、
前記所定の店舗で提供される取引対象であって、前記コードに対応する一の取引対象を購入するための情報を提供する
ことを特徴とする請求項１から３のうちいずれか１つに記載の提供装置。
【請求項５】
前記提供部は、
前記一の取引対象の価格を示す情報であって、前記端末装置を用いる決済手段により当該価格の決済を行うための情報を提供する
ことを特徴とする請求項４に記載の提供装置。
【請求項６】
前記取得部は、
さらに、前記提供者から、前記所定の店舗に設置される卓に関する情報を取得し、
前記提供部は、
前記所定の店舗に設置される卓であって、前記コードに対応する卓において前記利用者に提供される前記取引対象を購入するための情報を提供する
ことを特徴とする請求項１から５のうちいずれか１つに記載の提供装置。
【請求項７】
前記利用者から店舗の指定を受け付ける受付部
をさらに有し、
前記提供部は、
前記所定の店舗を指定した前記利用者に対し、前記取引対象を購入するための情報を提供する
ことを特徴とする請求項１から６のうちいずれか１つに記載の提供装置。
【請求項８】
前記提供部は、
前記取引対象のうち前記利用者が選択した取引対象を購入するための情報を提供する
ことを特徴とする請求項６または７に記載の提供装置。
【請求項９】
前記提供部は、
前記利用者が選択した取引対象の価格を示す情報であって、前記利用者が利用する端末装置を用いる決済手段により当該価格の決済を行うための情報を提供する
ことを特徴とする請求項８に記載の提供装置。
【請求項１０】
前記利用者が購入した前記取引対象に関連する情報を所定の印刷装置に送信し、当該情報を印刷させる印刷制御部
さらに有することを特徴とする請求項１から９のうちいずれか１つに記載の提供装置。
【請求項１１】
コンピュータが実行する提供方法であって、
取引対象の情報を登録するためのコンテンツが取引対象の提供者に提供され、所定の店舗で提供される取引対象の情報が当該コンテンツに登録された場合、当該コンテンツに登録された取引対象の情報を取得し、取得した取引対象の情報と、当該取引対象に対応するコードとを紐付けて記憶部に格納する取得工程と、
前記記憶部を参照することにより、前記提供者に対し前記取引対象の情報に紐付けられたコードを示す情報を提供し、前記所定の店舗を利用する利用者に対し、当該利用者が利用する端末装置により読み取られたコードに対応する前記取引対象の情報を、前記取引対象を購入するための情報として提供する提供工程と、
前記利用者が利用する端末装置を用いる決済手段により前記取引対象の決済処理が実行された場合は、前記取引対象に対応する情報を前記所定の店舗に設置された出力装置に送信し、当該情報を出力させる出力制御工程と
を含むことを特徴とする提供方法。
【請求項１２】
取引対象の情報を登録するためのコンテンツが取引対象の提供者に提供され、所定の店舗で提供される取引対象の情報が当該コンテンツに登録された場合、当該コンテンツに登録された取引対象の情報を取得し、取得した取引対象の情報と、当該取引対象に対応するコードとを紐付けて記憶部に格納する取得手順と、
前記記憶部を参照することにより、前記提供者に対し前記取引対象の情報に紐付けられたコードを示す情報を提供し、前記所定の店舗を利用する利用者に対し、当該利用者が利用する端末装置により読み取られたコードに対応する前記取引対象の情報を、前記取引対象を購入するための情報として提供する提供手順と、
前記利用者が利用する端末装置を用いる決済手段により前記取引対象の決済処理が実行された場合は、前記取引対象に対応する情報を前記所定の店舗に設置された出力装置に送信し、当該情報を出力させる出力制御手順と
をコンピュータに実行させることを特徴とする提供プログラム。
【発明の詳細な説明】
【技術分野】
【０００１】
本発明は、提供装置、提供方法及び提供プログラムに関する。
【背景技術】
【０００２】
従来、利用者の取引対象の購入を支援するサービスを提供する技術が知られている。このような技術の一例として、商品に付された光学シンボルが携帯型端末により読み取られて購入指示が行われた場合に、２次元コードを当該携帯型端末に表示させ、当該２次元コードをレシート発行機に読み取らせて商品情報を印刷したレシートを発行する技術が知られている。
【先行技術文献】
【特許文献】
【０００３】
【特許文献１】特開２０１４−０１０５２１号公報
【発明の概要】
【発明が解決しようとする課題】
【０００４】
しかしながら、上述した技術では、利用者に対して効率的に取引対象の情報を提供しているとは言えない場合がある。
【０００５】
例えば、上述した技術では、販売対象の商品が陳列され利用者が手に取ることが可能な状況において、当該商品に付された光学シンボルが携帯型端末に読み取られて購入指示が行われた場合に、購入指示に対応する２次元コードを当該携帯型端末に送信しているに過ぎず、利用者に対して効率的に取引対象の情報を提供しているとは言えない場合がある。
【０００６】
本願は、上記に鑑みてなされたものであって、利用者に対して効率的に取引対象の情報を提供することを目的とする。
【課題を解決するための手段】
【０００７】
本願に係る提供装置は、取引対象の提供者から、所定の店舗で提供される取引対象の情報を取得する取得部と、前記所定の店舗を利用する利用者に対し、前記取引対象を購入するための情報を提供する提供部とを有することを特徴とする。
【発明の効果】
【０００８】
実施形態の一態様によれば、利用者に対して効率的に取引対象の情報を提供できるという効果を奏する。
【図面の簡単な説明】
【０００９】
【図１】図１は、第１の実施形態に係る提供処理の一例を示す図である。
【図２】図２は、第２の実施形態に係る提供処理の一例を示す図である。
【図３】図３は、第３の実施形態に係る提供処理の一例を示す図である。
【図４】図４は、実施形態に係る決済サーバの構成例を示す図である。
【図５】図５は、実施形態に係る口座データベースの一例を示す図である。
【図６】図６は、実施形態に係る商品情報データベースの一例を示す図である。
【図７】図７は、実施形態に係る利用者情報データベースの一例を示す図である。
【図８】図８は、実施形態に係る提供処理の手順の一例を示すフローチャートである。
【図９】図９は、決済サーバの機能を実現するコンピュータの一例を示すハードウェア構成図である。
【発明を実施するための形態】
【００１０】
以下に本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、以下の各実施形態において同一の部位には同一の符号を付し、重複する説明は省略される。
【００１１】
〔１．実施形態〕
〔１−１．第１の実施形態における提供処理の一例〕
図１を用いて、本実施形態の提供装置等により実現される第１の実施形態に係る提供処理について説明する。図１は、第１の実施形態に係る提供処理の一例を示す図である。なお、図１では、本実施形態に係る提供装置の一例である決済サーバ１０によって、第１の実施形態に係る提供処理などが実現されるものとする。
【００１２】
図１に示すように、実施形態に係る提供システム１は、決済サーバ１０と、提供者端末１００と、利用者端末２００と、印刷装置３００とを含む。決済サーバ１０、提供者端末１００、利用者端末２００及び印刷装置３００は、ネットワークＮ（例えば、図４参照）を介して有線または無線により相互に通信可能に接続される。ネットワークＮは、例えば、インターネットなどのＷＡＮ（Wide  Area  Network）である。なお、図１に示した提供システム１には、複数台の決済サーバ１０、複数台の提供者端末１００、複数台の利用者端末２００及び複数台の印刷装置３００が含まれていてもよい。
【００１３】
図１に示す決済サーバ１０は、提供処理を行う情報処理装置であり、例えば、サーバ装置やクラウドシステム等により実現される。例えば、決済サーバ１０は、提供者が提供する取引対象（例えば、商品）に関する情報を取得し、取得した情報を利用者に提供する。
【００１４】
また、決済サーバ１０は、利用者端末２００を用いる電子決済に関する電子決済サービスを提供する。例えば、決済サーバ１０は、取引対象の提供者や取引対象が提供される利用者の口座を管理しており、利用者からの決済要求に従って、口座間における電子マネーの移行等を行うことで、各種決済を実現する。なお、電子マネーとは、例えば、各種企業が独自に用いるポイントや通貨等であってもよく、日本円やドル等の国家により提供される貨幣を電子的に取引可能としたものであってもよい。
【００１５】
図１に示す提供者端末１００は、利用者に取引対象を提供する提供者によって利用される情報処理装置である。提供者端末１００は、例えば、スマートフォンや、タブレット型端末、ノート型ＰＣ（Personal  Computer）、デスクトップＰＣ、携帯電話機、ＰＤＡ（Personal  Digital  Assistant）等により実現される。また、提供者端末１００は、決済サーバ１０によって配信される情報を、ウェブブラウザやアプリケーションにより表示する。なお、図１に示す例では、提供者端末１００がノート型ＰＣである場合を示す。
【００１６】
図１に示す利用者端末２００は、利用者によって利用される情報処理装置である。利用者端末２００は、例えば、スマートフォンや、タブレット型端末、ノート型ＰＣ、デスクトップＰＣ、携帯電話機、ＰＤＡ等により実現される。また、利用者端末２００は、決済サーバ１０によって配信される情報を、ウェブブラウザやアプリケーションにより表示する。なお、図１に示す例では、利用者端末２００がスマートフォンである場合を示す。
【００１７】
図１に示す印刷装置３００は、決済サーバ１０から受信した情報を出力（印刷）する情報処理装置である。なお、図１に示す例では、印刷装置３００がプリンタである場合を示す。
【００１８】
〔１−１−１．利用者端末２００を用いた決済について〕
ここで、決済サーバ１０が実行する提供処理に先立ち、利用者端末２００を用いた決済（電子決済）の一例について説明する。なお、以下の説明では、店舗Ａに配置された２次元コード（ＱＲコード（登録商標））であって、店舗Ａを識別する店舗識別情報を示す２次元コードを用いて、利用者Ｕが利用者端末２００を用いた決済を行う例について説明するが、実施形態は、これに限定されるものではない。以下に説明する決済の一例は、任意の利用者が任意の利用者端末２００を用いて、任意の店舗にて決済を行う場合においても適用可能である。また、店舗識別情報は、ＱＲコード（登録商標）のみならず、バーコードや所定のマーク、番号等であってもよい。
【００１９】
例えば、利用者Ｕが店舗Ａにて各種の商品やサービスといった決済対象（取引対象）の利用や購入に伴う決済を行う場合、利用者Ｕは、利用者端末２００に予めインストールされた決済用のアプリケーションを起動する。そして、利用者Ｕは、アプリケーションを介して、店舗Ａに設置された店舗識別情報を撮影する。このような場合、利用者端末２００は、決済対象の価格を入力するための画面を表示し、利用者Ｕ或いは店舗Ａの店員から決済金額の入力を受付ける。そして、利用者端末２００は、利用者Ｕを識別する利用者情報と、店舗識別情報（若しくは、店舗識別情報が示す情報、すなわち、店舗Ａを示す情報）と、決済金額とを示す決済情報を決済サーバ１０へと送信する。
【００２０】
このような場合、決済サーバ１０は、利用者情報が示す利用者Ｕの口座から、店舗識別情報が示す店舗Ａの口座へと、決済金額が示す額の電子マネーを移行させる。そして、決済サーバ１０は、決済が完了した旨の通知を利用者端末２００へと送信する。このような場合、利用者端末２００は、決済が完了した旨の画面や所定の音声を出力することで、電子マネーによる決済が行われた旨を通知する。
【００２１】
なお、利用者端末２００を用いた決済は、上述した処理に限定されるものではない。例えば、利用者端末２００を用いた決済は、店舗Ａに設置された店舗端末を用いたものであってもよい。例えば、利用者端末２００は、利用者Ｕを識別するための利用者識別情報を画面上に表示させる。このような場合、店舗Ａに設置された店舗端末は、利用者端末２００に表示された利用者識別情報を読み取り、利用者識別情報と、決済金額と、店舗Ａを識別する情報とを示す決済情報を決済サーバ１０へと送信する。このような場合、決済サーバ１０は、利用者識別情報が示す利用者Ｕの口座から、店舗Ａの口座へと、決済金額が示す額の電子マネーを移行させ、店舗Ａの店舗端末あるいは利用者端末２００に対し、決済が完了した旨の画面や所定の音声を出力させることで、決済が行われた旨を通知してもよい。
【００２２】
また、利用者端末２００を用いた決済は、利用者Ｕが予め電子マネーをチャージした口座から店舗Ａの口座へと電子マネーを移行させる処理のみならず、例えば、利用者Ｕが予め登録したクレジットカードを用いた決済であってもよい。このような場合、例えば、利用者端末２００は、店舗Ａの口座に対して決済金額の電子マネーを移行させるとともに、利用者Ｕのクレジットカードの運用会社に対し、決済金額を請求してもよい。
【００２３】
〔１−１−２．第１の実施形態の概要について〕
ここで、従来、利用者の決済を支援するサービスを提供する技術として、商品に付された光学シンボルが携帯型端末により読み取られて購入指示が行われた場合に、２次元コードを当該携帯型端末に表示させ、当該２次元コードをレシート発行機に読み取らせて商品情報を印刷したレシートを発行する技術が知られている。しかしながら、このような技術では、販売対象の商品が陳列され利用者が手に取ることが可能な状況において、当該商品に付された光学シンボルが携帯型端末に読み取られて購入指示が行われた場合に、購入指示に対応する２次元コードを当該携帯型端末に送信しているに過ぎず、利用者に対して効率的に取引対象の情報を提供しているとは言えない場合がある。
【００２４】
そこで、決済サーバ１０は、第１の実施形態に係る提供処理を実行する。以下、図１を用いて、決済サーバ１０が実行する提供処理について説明する。なお、以下の説明では、提供者端末１００が提供者Ｍ１により利用され、利用者端末２００が利用者Ｕにより利用される例を示す。また、以下の説明では、提供者端末１００を提供者Ｍ１及び店舗Ａと同一視し、利用者端末２００を利用者Ｕと同一視する場合がある。すなわち、以下では、提供者Ｍ１及び店舗Ａを提供者端末１００、利用者Ｕを利用者端末２００と読み替えることもできる。
【００２５】
まず、決済サーバ１０は、提供者Ｍ１が取引対象（商品）に関する商品情報を登録するための登録コンテンツを提供する（ステップＳａ１）。例えば、決済サーバ１０は、提供者端末１００からのアクセスに応じて、登録コンテンツを提供者端末１００に提供する。
【００２６】
続いて、提供者Ｍ１は、商品ごとに、価格や説明テキスト等の商品情報を登録する（ステップＳａ２）。例えば、提供者Ｍ１は、商品ごとに、価格や説明テキスト（例えば、商品名）、商品画像等の商品情報を登録コンテンツに登録（入力）する。そして、決済サーバ１０は、商品情報の登録を受け付け、商品を識別する識別情報（例えば、ＱＲコード（登録商標）、以下、「商品ＱＲ」と記載する場合がある）と、当該商品の商品情報とを紐付け、記憶部に格納する。
【００２７】
続いて、決済サーバ１０は、各商品に対応する商品ＱＲを提供者Ｍ１に提供する（ステップＳａ３）。例えば、決済サーバ１０は、提供者Ｍ１が提供する各商品に対応する商品ＱＲＣ１１、Ｃ１２、・・・等を提供する。以下、提供者Ｍ１に提供した商品ＱＲＣ１１、Ｃ１２、・・・等を、商品ＱＲＣ１０と総称する場合がある。
【００２８】
続いて、提供者Ｍ１は、商品ＱＲＣ１０を店内に配置する（ステップＳａ４）。例えば、提供者Ｍ１は、商品ＱＲＣ１０を所定の媒体（例えば、印刷用紙）に印刷し、印刷物を店内に配置する。具体的な例を挙げると、提供者Ｍ１は、商品の引換券（例えば、食券）を発券する券売機に含まれる発券ボタンに対し、対応する商品の商品ＱＲＣ１０を貼付する。
【００２９】
続いて、利用者は、商品ＱＲＣ１０を読み取る（ステップＳａ５）。例えば、店舗Ａに来店した利用者Ｕは、利用者端末２００にインストールされた上述の決済用のアプリケーションを起動し、当該アプリケーションを用いて、提供を希望する商品の発券ボタンに貼付された商品ＱＲＣ１０を読み取る。
【００３０】
続いて、利用者端末２００は、商品ＱＲの情報を送信する（ステップＳａ６）。例えば、利用者端末２００は、ステップＳａ５において読み取った商品ＱＲＣ１０が示す識別情報を決済サーバ１０へ送信する。
【００３１】
続いて、決済サーバ１０は、利用者端末２００から受け付けた情報に対応する商品情報を提供する（ステップＳａ７）。例えば、決済サーバ１０は、記憶部を参照し、利用者端末２００から受け付けた識別情報に対応する商品情報を利用者端末２００に提供する。
【００３２】
続いて、利用者端末２００は、決済サーバ１０から提供された商品情報を表示する（ステップＳａ８）。例えば、利用者端末２００は、決済サーバ１０から提供された商品情報と、当該商品情報に対応する商品の購入操作を行うための操作ボタンとを含む画面を表示する。
【００３３】
続いて、利用者Ｕは、利用者端末２００の画面の表示内容を確認し、商品の購入操作を行う（ステップＳａ９）。例えば、利用者Ｕは、利用者端末２００に表示された商品情報を確認し、操作ボタンを押下することにより対応する商品の購入操作を行う。
【００３４】
続いて、利用者端末２００は、商品の購入要求（決済要求）を送信する（ステップＳａ１０）。例えば、利用者端末２００は、利用者Ｕからの購入操作に応じて、画面に表示した商品情報に対応する商品の購入要求を決済サーバ１０に送信する。
【００３５】
続いて、決済サーバ１０は、利用者端末２００から受け付けた購入要求に対応する商品の決済処理を実行する（ステップＳａ１１）。例えば、決済サーバ１０は、購入要求に対応する商品の価格分の電子マネーを、利用者Ｕの口座から店舗Ａの口座へ移行させる。そして、決済サーバ１０は、決済が完了した旨の通知を利用者端末２００に送信する。
【００３６】
続いて、決済サーバ１０は、実行した決済処理に関連する決済関連情報を印刷装置３００に印刷させる（ステップＳａ１２）。例えば、決済サーバ１０は、実行した決済処理に対応する商品の商品情報（例えば、商品名や、価格など）を印刷装置３００に送信し、当該商品情報を印刷させる。
【００３７】
続いて、印刷装置３００は、決済サーバ１０から送信された決済関連情報を印刷する（ステップＳａ１３）。例えば、提供者Ｍ１は、券売機の近傍に印刷装置３００を設置する。そして、利用者Ｕは、印刷装置３００から印刷される決済関連情報を取得して店舗Ａの店員に渡すことにより、決済関連情報が示す商品の注文を行う。
【００３８】
以上のように、実施形態に係る決済サーバ１０は、電子決済により支払いが行われた商品を示す情報を、店舗に設置された印刷装置３００に出力させる。これにより、実施形態に係る決済サーバ１０は、券売機から発行される食券等を利用して利用者が商品の注文を行う店舗において、券売機を利用しない電子決済が利用者から行われた場合であっても、電子決済に応じて印刷装置３００から食券等に相当する情報を印刷させ、利用者に付与することができる。すなわち、実施形態に係る決済サーバ１０は、利用者に対して効率的に取引対象の情報を提供できる。
【００３９】
また、実施形態に係る決済サーバ１０は、例えば、商品の識別情報を表示する機能や、利用者端末２００に表示された利用者識別情報を読み取る機能などを券売機に付与するリソースを店舗側が割けない場合であっても、店舗が電子決済による支払いを受け付け、食券等に相当する情報を利用者に付与することを可能とする。すなわち、実施形態に係る決済サーバ１０は、店舗への電子決済の導入を容易にする。
【００４０】
〔１−２．第２の実施形態における提供処理の一例〕
なお、本実施形態に係る提供装置が提供者Ｍ１に提供する識別情報は、商品ごとに設定された識別情報に限られない。ここで、図２を用いて、本実施形態の提供装置等により実現される第２の実施形態に係る提供処理について説明する。図２は、第２の実施形態に係る提供処理の一例を示す図である。なお、図２では、本実施形態に係る提供装置の一例である決済サーバ１０によって、第２の実施形態に係る提供処理などが実現されるものとする。
【００４１】
図２に示すように、実施形態に係る提供システム２は、決済サーバ１０と、提供者端末１００と、利用者端末２００と、印刷装置３００とを含む。決済サーバ１０、提供者端末１００、利用者端末２００及び印刷装置３００は、ネットワークＮを介して有線または無線により相互に通信可能に接続される。ネットワークＮは、例えば、インターネットなどのＷＡＮである。なお、図２に示した提供システム２には、複数台の決済サーバ１０、複数台の提供者端末１００、複数台の利用者端末２００及び複数台の印刷装置３００が含まれていてもよい。
【００４２】
図２に示す決済サーバ１０、提供者端末１００、利用者端末２００及び印刷装置３００は、図１に示す提供システム１と同様の構成であるため、説明を省略する。
【００４３】
〔１−２−１．第２の実施形態の概要について〕
以下、図２を用いて、決済サーバ１０が実行する提供処理について説明する。なお、以下の説明では、提供者端末１００が提供者Ｍ１により利用され、利用者端末２００が利用者Ｕにより利用される例を示す。また、以下の説明では、提供者端末１００を提供者Ｍ１及び店舗Ａと同一視し、利用者端末２００を利用者Ｕと同一視する場合がある。すなわち、以下では、提供者Ｍ１及び店舗Ａを提供者端末１００、利用者Ｕを利用者端末２００と読み替えることもできる。
【００４４】
まず、決済サーバ１０は、提供者Ｍ１が商品に関する商品情報を登録するための登録コンテンツを提供する（ステップＳｂ１）。例えば、決済サーバ１０は、提供者端末１００からのアクセスに応じて、登録コンテンツを提供者端末１００に提供する。
【００４５】
続いて、提供者Ｍ１は、商品の価格や説明テキスト等の商品情報を登録するとともに、店舗Ａに設置された卓に関する卓情報を登録する（ステップＳｂ２）。例えば、提供者Ｍ１は、商品ごとに、価格や説明テキスト、商品画像等の商品情報を登録コンテンツに登録する。また、提供者Ｍ１は、店舗Ａに設置された卓であって、来店した利用者が商品の提供を受ける卓を示す卓情報（例えば、卓の数）を登録コンテンツに登録する。そして、決済サーバ１０は、商品情報の登録を受け付け、店舗Ａに紐付けて記憶部に格納する。また、決済サーバ１０は、店舗Ａに設置された各卓を識別する識別情報（例えば、ＱＲコード（登録商標）によって示される卓ＩＤ（卓番号）。以下、「卓ＱＲ」と記載する場合がある。）を設定し、店舗Ａに紐付けて記憶部に格納する。
【００４６】
続いて、決済サーバ１０は、卓ＱＲを提供者Ｍ１に提供する（ステップＳｂ３）。例えば、決済サーバ１０は、店舗Ａに設置された卓の数に等しい卓ＱＲＣ２１、Ｃ２２、・・・等を提供する。以下、提供者Ｍ１に提供した卓ＱＲＣ２１、Ｃ２２、・・・等を、卓ＱＲＣ２０と総称する場合がある。
【００４７】
続いて、提供者Ｍ１は、卓ＱＲＣ２０を店内に配置する（ステップＳｂ４）。例えば、提供者Ｍ１は、卓ＱＲＣ２０を所定の媒体に印刷し、店舗Ａに設置された各卓にそれぞれ異なる卓ＱＲＣ２０を貼付する。そして、提供者Ｍ１は、各卓と、各卓に貼付した卓ＱＲＣ２０が示す識別情報（例えば、卓番号）とを対応付けて管理する。
【００４８】
続いて、利用者は、卓ＱＲＣ２０を読み取る（ステップＳｂ５）。例えば、店舗Ａに来店した利用者Ｕは、利用者端末２００にインストールされた上述の決済用のアプリケーションを起動し、当該アプリケーションを用いて、着席した卓に貼付された卓ＱＲＣ２０を読み取る。
【００４９】
続いて、利用者端末２００は、卓ＱＲＣ２０の情報を送信する（ステップＳｂ６）。例えば、利用者端末２００は、ステップＳｂ５において読み取った卓ＱＲＣ２０が示す識別情報を決済サーバ１０へ送信する。
【００５０】
続いて、決済サーバ１０は、利用者端末２００から受け付けた情報に対応する店舗の商品情報を提供する（ステップＳｂ７）。例えば、決済サーバ１０は、記憶部を参照し、利用者端末２００から受け付けた卓ＱＲＣ２０に紐付けられた店舗Ａを特定し、店舗Ａにおいて提供される各商品の商品情報を利用者端末２００に提供する。
【００５１】
続いて、利用者端末２００は、決済サーバ１０から提供された商品情報を表示する（ステップＳｂ８）。例えば、利用者端末２００は、店舗Ａにおいて提供される各商品の商品情報を示す注文画面を表示する。具体的な例を挙げると、利用者端末２００は、店舗Ａにおいて提供される各商品の商品情報や、各商品の注文（購入）数を入力するための領域、各商品に付与可能なオプション（例えば、商品（飲食物）のサイズや、トッピングなど）を入力するための領域、注文する商品及び選択するオプションの合計額、注文内容の確定操作を行うための注文ボタンなどを含む注文画面を提供する。
【００５２】
続いて、利用者Ｕは、利用者端末２００に表示された商品情報を閲覧し、商品の購入（注文）操作を行う（ステップＳｂ９）。例えば、利用者Ｕは、利用者端末２００に表示された注文画面において、各商品の注文数、並びに、各商品に付与するオプションを入力した後、注文ボタンを押下することにより注文内容を確定させる。
【００５３】
続いて、利用者端末２００は、商品の購入要求を送信する（ステップＳｂ１０）。例えば、利用者端末２００は、注文ボタンの押下に応じて、読み取った卓ＱＲＣ２０と、利用者Ｕの注文内容（例えば、利用者Ｕが注文した商品や、注文数、商品に付与するオプションなど）とを示す購入要求を決済サーバ１０に送信する。
【００５４】
続いて、決済サーバ１０は、利用者端末２００から受け付けた購入要求に対応する商品の決済処理を実行する（ステップＳｂ１１）。例えば、決済サーバ１０は、注文内容に対応する料金（注文画面に表示された合計額）分の電子マネーを、利用者Ｕの口座から店舗Ａの口座へ移行させる。そして、決済サーバ１０は、決済が完了した旨の通知を利用者端末２００に送信する。
【００５５】
続いて、決済サーバ１０は、実行した決済処理に関連する決済関連情報を印刷装置３００に印刷させる（ステップＳｂ１２）。例えば、決済サーバ１０は、実行した決済処理に対応する注文内容と、購入要求に含まれる卓ＱＲＣ２０が示す識別情報（例えば、卓番号）とを含む決済関連情報を印刷装置３００に送信し、当該決済関連情報を印刷させる。
【００５６】
続いて、印刷装置３００は、決済サーバ１０から送信された決済関連情報を印刷する（ステップＳｂ１３）。例えば、提供者Ｍ１は、印刷された決済関連情報を店舗Ａの店員が取得可能な位置に印刷装置３００を設置する。そして、店舗Ａの店員は、決済関連情報に基づいて、利用者Ｕに商品を提供する。具体的な例を挙げると、店舗Ａの店員は、印刷された識別情報に対応する卓に着席している利用者Ｕに対し、印刷された注文内容に対応する商品を提供する。
【００５７】
以上のように、実施形態に係る決済サーバ１０は、読み取った卓ＱＲに応じた注文画面を利用者端末２００に提供する。これにより、実施形態に係る決済サーバ１０は、利用者が卓に貼付された卓ＱＲを読み取る操作を行うことのみによって、当該卓が設置された店舗が提供する商品の商品情報を表示すると共に、各商品に対する電子決済を受け付けることを可能とする。すなわち、実施形態に係る決済サーバ１０は、利用者に対して効率的に取引対象の情報を提供できる。
【００５８】
〔１−３．第３の実施形態における提供処理の一例〕
なお、本実施形態に係る提供装置が提供する情報は、店舗Ａ内での商品の購入の際に利用される識別情報に限られない。ここで、図３を用いて、本実施形態の提供装置等により実現される第３の実施形態に係る提供処理について説明する。図３は、第３の実施形態に係る提供処理の一例を示す図である。なお、図３では、本実施形態に係る提供装置の一例である決済サーバ１０によって、第３の実施形態に係る提供処理などが実現されるものとする。
【００５９】
図３に示すように、実施形態に係る提供システム３は、決済サーバ１０と、提供者端末１００と、利用者端末２００と、印刷装置３００とを含む。決済サーバ１０、提供者端末１００、利用者端末２００及び印刷装置３００は、ネットワークＮを介して有線または無線により相互に通信可能に接続される。ネットワークＮは、例えば、インターネットなどのＷＡＮである。なお、図３に示した提供システム３には、複数台の決済サーバ１０、複数台の提供者端末１００、複数台の利用者端末２００及び複数台の印刷装置３００が含まれていてもよい。
【００６０】
図３に示す決済サーバ１０、提供者端末１００、利用者端末２００及び印刷装置３００は、図１に示す提供システム１と同様の構成であるため、説明を省略する。
【００６１】
〔１−３−１．第３の実施形態の概要について〕
以下、図３を用いて、決済サーバ１０が実行する提供処理について説明する。なお、以下の説明では、提供者端末１００が提供者Ｍ１により利用され、利用者端末２００が利用者Ｕにより利用される例を示す。また、以下の説明では、提供者端末１００を提供者Ｍ１及び店舗Ａと同一視し、利用者端末２００を利用者Ｕと同一視する場合がある。すなわち、以下では、提供者Ｍ１及び店舗Ａを提供者端末１００、利用者Ｕを利用者端末２００と読み替えることもできる。
【００６２】
まず、決済サーバ１０は、提供者Ｍ１が商品に関する商品情報を登録するための登録コンテンツを提供する（ステップＳｃ１）。例えば、決済サーバ１０は、提供者端末１００からのアクセスに応じて、登録コンテンツを提供者端末１００に提供する。
【００６３】
続いて、提供者Ｍ１は、商品ごとに、価格や説明テキスト等の商品情報を登録する（ステップＳｃ２）。例えば、提供者Ｍ１は、商品ごとに、価格や説明テキスト、商品画像等の商品情報を登録コンテンツに登録する。そして、決済サーバ１０は、商品情報の登録を受け付け、店舗Ａに紐付けて記憶部に格納する。
【００６４】
続いて、利用者端末２００は、店舗の指定情報を送信する（ステップＳｃ３）。例えば、店舗Ａの利用を希望し、店舗Ａへ来店前である利用者Ｕは、利用者端末２００にインストールされた上述の決済用のアプリケーションを起動し、当該アプリケーション上で店舗Ａの指定（例えば、検索クエリ「店舗Ａ」の入力）を行う。そして、利用者端末２００は、店舗Ａを示す指定情報を決済サーバ１０に送信する。
【００６５】
続いて、決済サーバ１０は、利用者端末２００から受け付けた指定情報に対応する商品情報を提供する（ステップＳｃ４）。例えば、決済サーバ１０は、記憶部を参照し、店舗Ａに紐付けられた商品情報を利用者端末２００に提供する。
【００６６】
続いて、利用者端末２００は、決済サーバ１０から提供された商品情報を表示する（ステップＳｃ５）。例えば、利用者端末２００は、店舗Ａにおいて提供される各商品の商品情報を示す注文画面を表示する。具体的な例を挙げると、利用者端末２００は、店舗Ａにおいて提供される各商品の商品情報や、各商品の注文数を入力するための領域、各商品に付与可能なオプションを入力するための領域、注文する商品及び選択するオプションの合計額、注文内容の確定操作を行うための注文ボタンなどを含む注文画面を提供する。
【００６７】
続いて、利用者Ｕは、利用者端末２００に表示された商品情報を閲覧し、商品の購入操作を行う（ステップＳｃ６）。例えば、利用者Ｕは、利用者端末２００に表示された注文画面において、各商品の注文数、並びに、各商品に付与するオプションを入力した後、注文ボタンを押下することにより注文内容を確定させる。
【００６８】
続いて、利用者端末２００は、商品の購入要求を送信する（ステップＳｃ７）。例えば、利用者端末２００は、注文ボタンの押下に応じて、利用者Ｕの注文内容示す購入要求を決済サーバ１０に送信する。
【００６９】
続いて、決済サーバ１０は、利用者端末２００から受け付けた購入要求に対応する商品の決済処理を実行する（ステップＳｃ８）。例えば、決済サーバ１０は、注文内容に対応する料金分の電子マネーを、利用者Ｕの口座から店舗Ａの口座へ移行させる。そして、決済サーバ１０は、決済が完了した旨の通知（例えば、店舗Ａや、決済金額、購入操作を行った商品などを示す画面）を利用者端末２００に送信する。
【００７０】
続いて、決済サーバ１０は、実行した決済処理に関連する決済関連情報を印刷装置３００に印刷させる（ステップＳｃ９）。例えば、決済サーバ１０は、実行した決済処理に対応する注文内容と、利用者Ｕを識別するための利用者識別情報とを含む決済関連情報を印刷装置３００に送信し、当該決済関連情報を印刷させる。
【００７１】
続いて、印刷装置３００は、決済サーバ１０から送信された決済関連情報を印刷する（ステップＳｃ１０）。例えば、提供者Ｍ１は、印刷された決済関連情報を店舗Ａの店員が取得可能な位置に印刷装置３００を設置する。そして、店舗Ａの店員は、決済関連情報に基づいて、店舗Ａに来店した利用者Ｕの本人認証を行い、決済関連情報が示す商品を提供する。具体的な例を挙げると、店舗Ａの店員は、ステップＳｃ８において決済サーバ１０が利用者端末２００に送信した通知を利用者Ｕに提示させ、決済関連情報の内容と一致する場合に、注文内容が示す商品を提供する。また、店舗Ａの店員は、利用者Ｕの利用者識別情報に提示させ、決済関連情報が示すものと一致する場合に、注文内容が示す商品を提供する。
【００７２】
以上のように、実施形態に係る決済サーバ１０は、店舗に来店する前の利用者から受け付けた商品の購入要求に基づいて決済処理を行うと共に、当該利用者の本人認証に利用可能な決済関連情報を、店舗に設置された印刷装置３００に印刷させる。これにより、実施形態に係る決済サーバ１０は、利用者が店舗に来店する前に事前注文し、来店後にスムーズに商品の提供を受けることを可能とする。すなわち、実施形態に係る決済サーバ１０は、利用者に対して効率的に取引対象の情報を提供できる。
【００７３】
〔２．決済サーバの構成〕
次に、図４を用いて、決済サーバ１０の構成について説明する。図４は、実施形態に係る決済サーバの構成例を示す図である。図４に示すように、決済サーバ１０は、通信部２０と、記憶部３０と、制御部４０とを有する。
【００７４】
（通信部２０について）
通信部２０は、例えば、ＮＩＣ（Network  Interface  Card）等によって実現される。そして、通信部２０は、ネットワークＮと有線または無線で接続され、提供者端末１００や、利用者端末２００、印刷装置３００等との間で情報の送受信を行う。
【００７５】
（記憶部３０について）
記憶部３０は、例えば、ＲＡＭ（Random  Access  Memory）、フラッシュメモリ（Flash  Memory）等の半導体メモリ素子、または、ハードディスク、光ディスク等の記憶装置によって実現される。図４に示すように、記憶部３０は、口座データベース３１と、商品情報データベース３２と、利用者情報データベース３３とを有する。
【００７６】
（口座データベース３１について）
口座データベース３１は、利用者や提供者の口座に関する各種の情報を記憶する。ここで、図５を用いて、口座データベース３１が記憶する情報の一例を説明する。図５は、実施形態に係る口座データベースの一例を示す図である。図５の例において、口座データベース３１は、「口座ＩＤ」、「所有者情報」、「口座残高」といった項目を有する。
【００７７】
「口座ＩＤ」は、口座を識別するための識別情報を示す。「所有者情報」は、口座を所有する所有者（利用者や提供者）に関する情報を示し、例えば、所有者を識別するための識別情報（識別子）が格納される。「口座残高」は、利用者や提供者が所有する口座の残高を示す。
【００７８】
すなわち、図５では、口座ＩＤ「ＡＩＤ＃１」によって識別される口座の所有者の情報が「利用者＃１」であり、口座残高が「７８００」である例を示す。
【００７９】
（商品情報データベース３２について）
商品情報データベース３２は、提供者が提供する取引対象（商品）に関する各種情報を記憶する。ここで、図６を用いて、商品情報データベース３２が記憶する情報の一例を説明する。図６は、実施形態に係る商品情報データベースの一例を示す図である。図６の例において、商品情報データベース３２は、「提供者ＩＤ」、「店舗ＩＤ」、「口座ＩＤ」、「卓ＩＤ」、「商品ＩＤ」、「商品情報」といった項目を有する。
【００８０】
「提供者ＩＤ」は、提供者を識別するための識別情報を示す。「店舗ＩＤ」は、提供者が管理する店舗を識別するための識別情報を示す。「口座ＩＤ」は、所有する口座を識別するための識別情報を示す。「卓ＩＤ」は、提供者が管理する店舗に設置された各卓を識別するための識別情報を示す。「商品ＩＤ」は、提供者が提供する商品を識別するための識別情報を示す。「商品情報」は、提供者が提供する商品に関する情報を示し、「価格」、「画像」、「テキスト」といった項目を有する。「価格」は、商品の価格を示す。「画像」は、商品の画像を示す。「テキスト」は、商品の名称や、説明テキストなどといったテキスト情報を示す。
【００８１】
すなわち、図６では、提供者ＩＤ「ＭＩＤ＃１」によって識別される提供者が管理する店舗が店舗ＩＤ「ＳＩＤ＃１」によって識別され、当該提供者が所有する口座が口座ＩＤ「ＡＩＤ＃２」によって識別され、当該店舗に設置された各卓が卓ＩＤ「ＴＩＤ＃１−１〜１−２０」によって識別され、当該提供者が提供する商品のうち、商品ＩＤ「ＣＩＤ＃１」によって識別される商品の価格が「価格＃１」、画像が「画像＃１」、テキストが「テキスト＃１」である例を示す。
【００８２】
（利用者情報データベース３３について）
利用者情報データベース３３は、決済サーバ１０が提供する電子決済サービス（以下、単に「電子決済サービス」と記載する場合がある）の利用者に関する各種の情報を記憶する。ここで、図７を用いて、利用者情報データベース３３が記憶する情報の一例を説明する。図７は、実施形態に係る利用者情報データベースの一例を示す図である。図７の例において、利用者情報データベース３３は、「利用者ＩＤ」、「購入履歴」、「属性情報」といった項目を有する。
【００８３】
「利用者ＩＤ」は、利用者を識別するための識別情報を示す。「購入履歴」は、電子決済サービスを利用して購入した商品の履歴を示し、例えば、商品名や、商品の提供者、商品の価格などといった情報が格納される。「属性情報」は、利用者の属性を示し、例えば、利用者のデモグラフィック属性やサイコグラフィック属性などを示す情報が格納される。
【００８４】
すなわち、図７では、利用者ＩＤ「ＵＩＤ＃１」によって識別される利用者の購入履歴が「購入履歴＃１」、属性情報が「属性情報＃１」である例を示す。
【００８５】
（制御部４０について）
制御部４０は、コントローラ（controller）であり、例えば、ＣＰＵ（Central  Processing  Unit）やＭＰＵ（Micro  Processing  Unit）等によって、決済サーバ１０内部の記憶装置に記憶されている各種プログラムがＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。実施形態に係る制御部４０は、図４に示すように、登録受付部４１と、取得部４２と、指定受付部４３と、提供部４４と、決済処理部４５と、印刷制御部４６とを有し、以下に説明する情報処理の機能や作用を実現または実行する。
【００８６】
（登録受付部４１について）
登録受付部４１は、取引対象の提供者が、取引対象に関する情報を登録するための登録コンテンツを提供する。例えば、図１の例において、登録受付部４１は、提供者端末１００からのアクセスを受け付け、登録コンテンツを提供者端末１００に提供する。
【００８７】
（取得部４２について）
取得部４２は、取引対象の提供者から、所定の店舗で提供される取引対象の情報を取得する。例えば、図１の例において、取得部４２は、提供者Ｍ１が登録コンテンツに登録した商品情報（例えば、商品の価格や説明テキスト、商品画像など）を取得し、商品を識別する識別情報と、当該商品の商品情報とを紐付け、商品情報データベース３２に格納する。また、図３の例において、取得部４２は、提供者Ｍ１が登録コンテンツに登録した商品情報を取得し、提供者Ｍ１が管理する店舗Ａに紐付けて商品情報データベース３２に格納する。
【００８８】
また、取得部４２は、さらに、提供者から、所定の店舗に設置される卓に関する情報を取得してもよい。例えば、図２の例において、取得部４２は、提供者Ｍ１が登録コンテンツに登録した商品情報を取得し、提供者Ｍ１が管理する店舗Ａに紐付けて商品情報データベース３２に格納する。また、取得部４２は、店舗Ａに設置された卓であって、来店した利用者が商品の提供を受ける卓を示す卓情報（例えば、卓の数）を取得する。そして、取得部４２は、店舗Ａに設置された各卓を識別する識別情報を設定し、店舗Ａに紐付けて商品情報データベース３２に格納する。
【００８９】
（指定受付部４３について）
指定受付部４３は、利用者から商品の指定を受け付ける。例えば、図１の例において、指定受付部４３は、利用者端末２００が読み取った商品ＱＲＣ１０が示す識別情報を受け付ける。
【００９０】
また、指定受付部４３は、利用者から、店舗に設置された卓の指定を受け付けてもよい。例えば、図２の例において、指定受付部４３は、利用者端末２００が読み取った卓ＱＲＣ２０が示す識別情報を受け付ける。
【００９１】
また、指定受付部４３は、利用者から店舗の指定を受け付けてもよい。例えば、図３の例において、指定受付部４３は、店舗Ａを示す指定情報を利用者端末２００から受け付ける。
【００９２】
（提供部４４について）
提供部４４は、所定の店舗を利用する利用者に対し、取引対象を購入するための情報を提供する。例えば、提供部４４は、商品情報データベース３２を参照し、登録コンテンツに商品情報を登録した店舗を利用する利用者に対し、当該店舗が提供する取引対象を購入するための情報を提供する。
【００９３】
また、提供部４４は、利用者が利用する端末装置を用いる決済手段により取引対象を購入するための情報を提供してもよい。例えば、提供部４４は、取引対象を電子決済により購入する操作を行うための画面を提供する。
【００９４】
また、提供部４４は、取引対象の価格、取引対象を示す画像、取引対象に関するテキストの少なくともいずれか１つを含む情報を提供してもよい。例えば、提供部４４は、商品の価格や説明テキスト、商品画像等を含む商品情報を提供する。
【００９５】
また、提供部４４は、利用者が利用する端末装置により読み取られたコードに基づいて、取引対象を購入するための情報を提供してもよい。例えば、提供部４４は、利用者端末２００が読み取ったコードが示す識別情報に基づいて、取引対象を購入するための情報を提供する。
【００９６】
また、提供部４４は、所定の店舗で提供される取引対象であって、コードに対応する一の取引対象を購入するための情報を提供してもよい。例えば、図１の例において、提供部４４は、利用者端末２００が読み取った商品ＱＲＣ１０に対応する商品を購入するための画面を提供する。
【００９７】
また、提供部４４は、一の取引対象の価格を示す情報であって、端末装置を用いる決済手段により当該価格の決済を行うための情報を提供してもよい。例えば、図１の例において、提供部４４は、利用者端末２００が読み取った商品ＱＲＣ１０に対応する商品の価格と、当該価格分の電子決済を提供者Ｍ１に対して行うための操作ボタンとを含む画面を提供する。
【００９８】
また、提供部４４は、所定の店舗に設置される卓であって、コードに対応する卓において利用者に提供される取引対象を購入するための情報を提供してもよい。例えば、図２の例において、提供部４４は、利用者端末２００が読み取った卓ＱＲＣ２０に紐付けられた店舗Ａを特定する。そして、提供部４４は、卓ＱＲＣ２０に対応する卓に着席した利用者Ｕが、店舗Ａにおいて提供される各商品を購入するための注文画面を提供する。
【００９９】
また、提供部４４は、所定の店舗を指定した利用者に対し、取引対象を購入するための情報を提供してもよい。例えば、図３の例において、提供部４４は、利用者端末２００が送信した指定情報が示す店舗Ａにおいて提供される各商品を購入するための注文画面を提供する。
【０１００】
また、提供部４４は、取引対象のうち利用者が選択した取引対象を購入するための情報を提供してもよい。例えば、図２の例において、提供部４４は、店舗Ａにおいて提供される各商品のうち、利用者Ｕが選択した商品を購入するための注文画面を提供する。
【０１０１】
また、提供部４４は、利用者が選択した取引対象の価格を示す情報であって、利用者が利用する端末装置を用いる決済手段により当該価格の決済を行うための情報を提供してもよい。例えば、図２の例において、提供部４４は、店舗Ａにおいて提供される各商品のうち、利用者Ｕが選択した各商品の決済を電子決済により行うための注文画面を提供する。
【０１０２】
また、提供部４４は、提供者が登録コンテンツに登録した情報に基づいて、提供者に所定の情報を提供してもよい。例えば、図１の例において、提供部４４は、商品情報データベース３２を参照し、提供者Ｍ１が提供する各商品に対応する商品ＱＲを提供する。また、図２の例において、提供部４４は、店舗Ａに設置された卓の数に等しい卓ＱＲＣ２０を提供する。
【０１０３】
（決済処理部４５について）
決済処理部４５は、利用者からの決済要求（購入要求）に従い、決済処理を実行する。例えば、図１の例において、決済処理部４５は、購入要求に対応する商品の価格分の電子マネーを、利用者Ｕの口座から店舗Ａの口座へ移行させる。
【０１０４】
（印刷制御部４６について）
印刷制御部４６は、利用者が購入した取引対象に関連する情報を所定の印刷装置に送信し、当該情報を印刷させる。例えば、図１の例において、印刷制御部４６は、決済処理部４５が実行した決済処理に対応する商品の商品情報を印刷装置３００に送信し、当該商品情報を印刷させる。また、図２の例において、印刷制御部４６は、決済処理部４５が実行した決済処理に対応する注文内容と、購入要求に含まれる卓ＱＲＣ２０が示す識別情報とを含む決済関連情報を印刷装置３００に送信し、当該決済関連情報を印刷させる。また、図３の例において、印刷制御部４６は、決済処理部４５が実行した決済処理に対応する注文内容と、利用者Ｕを識別するための利用者識別情報とを含む決済関連情報を印刷装置３００に送信し、当該決済関連情報を印刷させる。
【０１０５】
〔３．提供処理のフロー〕
図８を用いて、実施形態に係る決済サーバ１０の提供処理の手順について説明する。図８は、実施形態に係る提供処理の手順の一例を示すフローチャートである。
【０１０６】
図８に示すように、決済サーバ１０は、提供者から登録コンテンツの提供要求を受け付けたか否かを判定する（ステップＳ１０１）。登録コンテンツの提供要求を受け付けていない場合（ステップＳ１０１；Ｎｏ）、決済サーバ１０は、登録コンテンツの提供要求を受け付けるまで待機する。
【０１０７】
一方、登録コンテンツの提供要求を受け付けた場合（ステップＳ１０１；Ｙｅｓ）、決済サーバ１０は、提供者に登録コンテンツを提供する（ステップＳ１０２）。続いて、決済サーバ１０は、提供者が登録コンテンツに登録した商品情報を取得する（ステップＳ１０３）。続いて、決済サーバ１０は、提供者が管理する店舗を利用する利用者に対して商品情報を提供し（ステップＳ１０４）、処理を終了する。
【０１０８】
〔４．変形例〕
上述の実施形態は一例を示したものであり、種々の変更及び応用が可能である。
【０１０９】
〔４−１．提供者に提供される識別情報について〕
上述の実施形態において、提供者が決済サーバ１０から提供される識別情報を印刷し、券売機や卓に貼付する場合を示したが、提供者が識別情報を使用する形態はこのような例に限定されない。例えば、提供者は、商品ＱＲや卓ＱＲを各種端末装置（例えば、店舗内の卓に設置された端末装置）の画面に表示し、利用者に読み取らせてもよい。
【０１１０】
〔４−２．提供部４４が提供する情報について〕
上述の実施形態において、提供部４４が、商品の価格や説明テキスト、商品画像等を含む商品情報を利用者に提供する例を示したが、提供部４４の機能はこのような例に限定されない。例えば、提供部４４は、取引対象のレコメンドに関する情報を利用者に提供してもよい。具体的な例を挙げると、提供部４４は、提供者が指定した商品の情報を優先的に提供する。また、提供部４４は、提供者が提供する商品のうち、利用者の購入履歴や属性情報に対応する商品の情報を優先的に提供する。
【０１１１】
〔４−３．印刷制御部４６が出力させる情報について〕
上述の実施形態において、印刷制御部４６が、決済処理に対応する商品の商品情報や、卓ＱＲＣ２０が示す識別情報、利用者識別情報などを印刷装置３００に印刷させる例を示したが、印刷制御部４６の機能はこのような例に限定されず、任意の情報を印刷装置３００に印刷させてよい。例えば、印刷制御部４６は、利用者に付与される所定の利益を示す情報を印刷装置３００に印刷させてもよい。具体的な例を挙げると、印刷制御部４６は、取引対象の購入に応じて提供者が利用者に付与するクーポンやポイントを示す情報を印刷装置３００に印刷させる。また、印刷制御部４６は、電子商取引サービスにおいて利用者に付与されたクーポンやポイントを示す情報を印刷装置３００に印刷させる。
【０１１２】
〔４−４．印刷制御部４６が情報を出力させる装置について〕
上述の実施形態において、印刷制御部４６が、利用者が購入した取引対象に関連する情報を印刷装置３００に印刷させる例を示したが、印刷制御部４６の機能はこのような例に限定されず、印刷装置３００以外にも、各種の出力装置に情報を出力させてもよい。すなわち、印刷制御部４６は、取引対象に関連する印刷物や各種コンテンツ等の画面、メッセージや効果音、合成音声等、任意の種別の情報を出力させるための処理を実行する出力制御部として動作してもよい。
【０１１３】
例えば、印刷制御部４６は、利用者が購入した取引対象に関連する情報を示す画像（静止画像、動画像）を、デジタルサイネージや提供者端末１００に出力させてもよい。具体的な例を挙げると、印刷制御部４６は、券売機の近傍に設置されたデジタルサイネージや提供者端末１００に、利用者が店舗内で並ぶレーン、利用する座席などを示す画像を表示する。これにより、印刷制御部４６は、利用者の店舗内での行動を指示することができるため、提供者の事業運営を支援できる。
【０１１４】
また、印刷制御部４６は、提供者が閲覧可能な位置（例えば、飲食店の厨房）に設置されたデジタルサイネージや提供者端末１００に、利用者が購入した取引対象を示す画像を表示させる。これにより、印刷制御部４６は、印刷装置３００から印刷される情報（例えば、食券）が利用者から渡されるより先に、提供者が取引対象の提供準備を行うことで提供時間を短縮できるため、提供者の事業運営を支援できる。
【０１１５】
また、例えば、印刷制御部４６は、利用者が購入した取引対象に関連する情報を示す音（例えば、効果音や合成音声）を、スピーカーや提供者端末１００に出力させてもよい。具体的な例を挙げると、印刷制御部４６は、提供者が取引対象を準備する位置（例えば、飲食店の厨房）に設置されたスピーカーや提供者端末１００に、利用者が購入した取引対象に対応する音を出力させる。これにより、印刷制御部４６は、印刷装置３００から印刷される情報が利用者から渡されるより先に、提供者が取引対象の提供準備を行うことで提供時間を短縮できるため、提供者の事業運営を支援できる。
【０１１６】
なお、印刷制御部４６は、提供者に指定された取引対象（例えば、提供するまでに時間を要する取引対象）を利用者が購入した場合に、当該取引対象に関連する情報を示す音を、スピーカーや提供者端末１００に出力させてもよい。
【０１１７】
〔４−５．処理態様について〕
上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１８】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１９】
また、上記してきた各実施形態は、処理内容を矛盾させない範囲で適宜組み合わせることが可能である。
【０１２０】
〔５．効果〕
上述してきたように、実施形態に係る決済サーバ１０は、登録受付部４１と、取得部４２と、指定受付部４３と、提供部４４と、決済処理部４５と、印刷制御部４６とを有する。登録受付部４１は、取引対象の提供者が、取引対象に関する情報を登録するための登録コンテンツを提供する。取得部４２は、取引対象の提供者から、所定の店舗で提供される取引対象の情報を取得する。指定受付部４３は、利用者から商品の指定を受け付ける。提供部４４は、所定の店舗を利用する利用者に対し、取引対象を購入するための情報を提供する。決済処理部４５は、利用者からの決済要求に従い、決済処理を実行する。印刷制御部４６は、利用者が購入した取引対象に関連する情報を所定の出力装置に送信し、当該情報を出力させる。また、印刷制御部４６は、利用者が購入した取引対象に関連する情報を所定の印刷装置に送信し、当該情報を印刷させる。
【０１２１】
これにより、実施形態に係る決済サーバ１０は、利用者が商品を指定する操作を行うことのみによって、当該商品の商品情報を提供すると共に、当該商品を購入するための情報を提供し、購入操作を受け付けることを可能とするため、利用者に対して効率的に取引対象の情報を提供できる。
【０１２２】
また、実施形態に係る決済サーバ１０において、例えば、提供部４４は、利用者が利用する端末装置を用いる決済手段により取引対象を購入するための情報を提供する。また、提供部４４は、取引対象の価格、取引対象を示す画像、取引対象に関するテキストの少なくともいずれか１つを含む情報を提供する。また、提供部４４は、利用者が利用する端末装置により読み取られたコードに基づいて、取引対象を購入するための情報を提供する。また、提供部４４は、所定の店舗で提供される取引対象であって、コードに対応する一の取引対象を購入するための情報を提供する。また、提供部４４は、一の取引対象の価格を示す情報であって、端末装置を用いる決済手段により当該価格の決済を行うための情報を提供する。
【０１２３】
これにより、実施形態に係る決済サーバ１０は、利用者が商品を指定する操作を行うことのみによって、当該商品の商品情報を提供すると共に、端末装置を用いる決済手段により当該商品を購入するための情報を提供し、購入操作を受け付けることを可能とするため、利用者に対して効率的に取引対象の情報を提供できる。
【０１２４】
また、実施形態に係る決済サーバ１０において、例えば、取得部４２は、さらに、提供者から、所定の店舗に設置される卓に関する情報を取得する。そして、提供部４４は、所定の店舗に設置される卓であって、コードに対応する卓において利用者に提供される取引対象を購入するための情報を提供する。
【０１２５】
これにより、実施形態に係る決済サーバ１０は、利用者が卓に貼付されたコードを読み取る操作を行うことのみによって、当該卓が設置された店舗が提供する商品の商品情報を表示すると共に、各商品に対する電子決済を受け付けることを可能とするため、利用者に対して効率的に取引対象の情報を提供できる。
【０１２６】
また、実施形態に係る決済サーバ１０において、例えば、指定受付部４３は、利用者から店舗の指定を受け付ける。そして、提供部４４は、所定の店舗を指定した利用者に対し、取引対象を購入するための情報を提供する。また、提供部４４は、取引対象のうち利用者が選択した取引対象を購入するための情報を提供する。また、提供部４４は、利用者が選択した取引対象の価格を示す情報であって、利用者が利用する端末装置を用いる決済手段により当該価格の決済を行うための情報を提供する。
【０１２７】
これにより、実施形態に係る決済サーバ１０は、利用者が店舗に来店する前に事前注文し、来店後にスムーズに商品の提供を受けることを可能とするため、利用者に対して効率的に取引対象の情報を提供できる。
【０１２８】
〔６．ハードウェア構成〕
また、上述してきた各実施形態に係る決済サーバ１０は、例えば、図９に示すような構成のコンピュータ１０００によって実現される。以下、決済サーバ１０を例に挙げて説明する。図９は、決済サーバの機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２９】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３０】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１３１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１３２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３３】
例えば、コンピュータ１０００が決済サーバ１０として機能する場合、コンピュータ１０００のＣＰＵ１１００は、ＲＡＭ１２００上にロードされたプログラムを実行することにより、制御部４０の機能を実現する。また、ＨＤＤ１４００には、決済サーバ１０の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１３４】
〔７．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３５】
また、上述した決済サーバ１０は、機能によっては外部のプラットフォーム等をＡＰＩ（Application  Programming  Interface）やネットワークコンピューティングなどで呼び出して実現するなど、構成は柔軟に変更できる。
【０１３６】
また、特許請求の範囲に記載した「部」は、「手段」や「回路」などに読み替えることができる。例えば、取得部は、取得手段や取得回路に読み替えることができる。
【符号の説明】
【０１３７】
１０      決済サーバ
２０      通信部
３０      記憶部
３１      口座データベース
３２      商品情報データベース
３３      利用者情報データベース
４０      制御部
４１      登録受付部
４２      取得部
４３      指定受付部
４４      提供部
４５      決済処理部
４６      印刷制御部
１００    提供者端末
２００    利用者端末
３００    印刷装置
【要約】      （修正有）【課題】利用者に対して効率的に取引対象の情報を提供する。【解決手段】取引対象を購入するための情報を提供する提供装置（決済サーバ１０）において、取引対象の提供者から、所定の店舗（例えば、券売機から発行される食券等を利用して利用者が商品の注文を行う店舗）で提供される取引対象の情報を取得する取得部４２と、所定の店舗を利用する利用者に対し、取引対象を購入するための情報（例えば、利用者が利用する端末装置により読み取った２次元コードに対応する商品の情報）を提供する提供部４４とを有する。【選択図】図４【図１】
0006861866.tif 000002
【図２】
0006861866.tif 000003
【図３】
0006861866.tif 000004
【図４】
0006861866.tif 000005
【図５】
0006861866.tif 000006
【図６】
0006861866.tif 000007
【図７】
0006861866.tif 000008
【図８】
0006861866.tif 000009
【図９】
0006861866.tif 000010